【事件の表示】
　特願２００７−２４５１４９「磁気共鳴診断装置」拒絶査定不服審判事件〔平成２０年　１月１０日出願公開、特開２００８−　　　６２６〕について、次のとおり審決する。
【結　論】
　本件審判の請求は、成り立たない。
【理　由】
第１　手続の経緯
　本願は、平成９年１０月３日に出願した特願平９−２７１４２３号の一部を新たな特許出願として平成１９年９月２１日に出願したものであって、
平成２２年１２月２０日付けで拒絶査定がなされ、これに対し、平成２３年３月２４日に拒絶査定不服審判の請求がなされるとともに，同日付けにて手続補正がなされたものである。
　その後、当審において、平成２４年１月１７日付けで拒絶の理由が通知され、これに対して、その応答期間内の同年３月２６日に意見書が提出されるとともに、同日付けで手続補正（以下、「本件補正」という。）がなされたものである。
　
第２　本願発明
　この出願の請求項１〜６に係る発明は、本件補正により補正された明細書の特許請求の範囲１〜６に記載された事項により特定されるとおりのものであって、その請求項１及び４は次のとおりである。（以下、請求項１及び請求項４に係る発明をそれぞれ「本願発明１」及び「本願発明４」という。） 
 「【請求項１】静磁場に重ねて傾斜磁場を印加可能な傾斜磁場印加手段と、前記静磁場中の被検体にＲＦパルスを送信すると共に前記被検体からのＭＲ信号を受信可能なＲＦ送受信手段と、前記傾斜磁場印加手段と前記ＲＦ送受信手段とを制御する制御手段とを備えた磁気共鳴診断装置において、
　前記ＭＲ信号に基づいて前記被検体の血流画像を再構成する再構成手段を備え、
　前記制御手段は所定のパルスシーケンスに従って前記傾斜磁場印加手段と前記ＲＦ送受信手段とを制御するようになっており、
　前記パルスシーケンスは、付加的効果を与える少なくとも１種類のプリパルスと、前記被検体の３次元領域から３ＤＦＴ法に従ってＭＲ信号を収集するイメージングシーケンスとを含み、
　前記イメージングシーケンスは、前記３ＤＦＴ法の３次元ｋ空間の原点付近を含む一部の領域と前記一部の領域以外の領域とで共通であり、
前記一部の領域は前記３次元ｋ空間において少なくともスライスエンコード方向に関して低周波領域であり、
　前記一部の領域以外の領域に対しては、前記少なくとも１種類のプリパルスが印加され、
　前記一部の領域に対しては、前記一部の領域以外の領域に比べて多くの種類のプリパルスが印加されることを特徴とする磁気共鳴診断装置。
【請求項４】静磁場に重ねて傾斜磁場を印加可能な傾斜磁場印加手段と、前記静磁場中の被検体にＲＦパルスを送信すると共に前記被検体からのＭＲ信号を受信可能なＲＦ送受信手段と、前記傾斜磁場印加手段と前記ＲＦ送受信手段とを制御する制御手段とを備えた磁気共鳴診断装置において、
　
前記ＭＲ信号に基づいて前記被検体の血流画像を再構成する再構成手段を備え、
　前記制御手段は所定のパルスシーケンスに従って前記傾斜磁場印加手段と前記ＲＦ送受信手段とを制御するようになっており、
　前記パルスシーケンスは、付加的効果を与えるプリパルスと、前記被検体の３次元領域から３ＤＦＴ法に従ってＭＲ信号を収集するイメージングシーケンスとを含み、
　前記イメージングシーケンスは、前記３ＤＦＴ法の３次元ｋ空間の原点付近を含む低周波領域と前記低周波領域以外の高周波領域とで共通であり、
　前記
３次元ｋ空間においてスライスエンコード方向に関して
　
第３　当審の拒絶理由通知
　当審における拒絶理由通知の概略は、以下のとおりである。
　本願の請求項１〜５に係る発明は、本願出願前に頒布された刊行物である特開平７−８８０９９号公報（以下、「刊行物１」という）に記載された発明および周知技術に基づき当業者が容易に発明をすることができたものである。
　なお、（相違点についての検討）で引用した特開平９−３８０６３号公報は、「（３−５）本願発明５について」で引用した特開平８−７１０５５号公報の誤記である。
　
第４　引用刊行物記載の発明 （下線は当審で付与した。）
１　刊行物１には、「ＭＲイメージング装置」について図面とともに次の事項が記載されている。 
　
（１ーア）「【特許請求の範囲】
【請求項１】  
静磁場を発生する手段と、スライス選択用、読み出し用及び位相エンコード用の各々の傾斜磁場を発生する手段と、ＲＦ信号を照射する手段と、ＮＭＲ信号を受信する手段と、受信したＮＭＲ信号からデータを収集する手段と、これらを制御して位相エンコード用傾斜磁場を変化させてパルスシーケンスを繰り返すとともに、この各パルスシーケンスにおいて自由水のプロトンの共鳴周波数から少し離れた周波数のＲＦ信号照射を付加し、かつこの付加されるＲＦ信号の照射強度を上記の位相エンコード用傾斜磁場の変化に基づきコントロールする手段とを備えることを特徴とするＭＲイメージング装置
　
（１−イ）「【０００３】ところで、このＭＲイメージング装置において、
近年、ＭＴ（magnetizationtransfer）効果によるコントラスト改善法が知られるようになってきた
ＭＴの大きさによりつくられる画像のコントラストはＭＴＣ（magnetization transfer contrast）と呼ばれている。
【０００４】
従来、このＭＴＣ画像を得るために、グラジェントエコー法やスピンエコー法などの撮像シーケンスに、水の共鳴周波数から少し離れた（周波数オフセットを持つ）周波数帯域のプリサチュレーションパルスやbinominal pulseと呼ばれる特殊な形のプリサチュレーションパルス（ここではこれらを総称してＭＴＣパルスと呼ぶ）を付加する方法がとられている。
【０００５】
【発明が解決しようとする課題】しかしながら、従来のように比較的パワーの大きいＲＦパルスをＭＴＣパルスとして照射すると、ＲＦ加熱が起こり、とくに人体を被検体とする場合に問題となる。
【０００６】この発明は、上記に鑑み、従来と同等なコントラストを得ながら、ＲＦ加熱による温度上昇をできるだけ抑えることができるように改善したＭＲイメージング装置を提供することを目的とする。
【０００７】
【課題を解決するための手段】上記の目的を達成するため、この発明によるＭＲイメージング装置においては、１つの画像を再構成するために位相エンコード量を変化させながらパルスシーケンスを繰り返していくとき、その位相エンコード量の変化に基づき、ＭＴＣパルスの照射強度を変化させることが特徴となっている。」
　
（１−ウ）「【０００８】
【作用】たとえば
位相エンコード量が小さいパルスシーケンスではＭＴＣパルスを照射し、位相エンコード量が大きいパルスシーケンスではＭＴＣパルスの照射強度をゼロにする（つまり照射しない）。
位相エンコード量が小さいパルスシーケンスで得られるデータは、２次元フーリエ変換される生データ空間の中央部に配置される
位相エンコード量が大きいパルスシーケンスで得られるデータは生データ空間の周辺部に配置される
【０００９】
【実施例】以下、この発明の好ましい一実施例について図面を参照しながら詳細に説明する。図４に示すＭＲイメージング装置により、図２に示すようなパルスシーケンスを図１に示すように繰り返す。つまり、位相エンコード量をたとえば２５６通りに変化させながらパルスシーケンスを繰り返して２５６ラインのデータを収集し、２５６×２５６のマトリクスの画像を再構成する場合、位相エンコード量が最初負の方向に大きく順次ゼロに近づきゼロになった後正の方向に順次大きくなるように変化させられるとして、位相エンコード量が大きい最初の期間ａと最後の期間ｃとではＭＴＣパルス３を付加せず、位相エンコード量がゼロ付近で小さくなっている期間ｂのみＭＴＣパルス３を付加することとしている。
【００１０】まず、図４に示したＭＲイメージング装置について説明すると、
静磁場を発生するための主マグネット１１と、この静磁場に重畳するように傾斜磁場を印加する傾斜磁場コイル１２と
傾斜磁場コイル１２はＸ、Ｙ、Ｚの３軸方向に磁場強度がそれぞれ傾斜する傾斜磁場Ｇｘ、Ｇｙ、Ｇｚを発生するように３組のコイルから構成される
【００１１】傾斜磁場コイル１２には傾斜磁場電源２１が接続され、Ｇｘ、Ｇｙ、Ｇｚの各傾斜磁場発生用電力が供給される。この傾斜磁場電源２１には波形発生器２２からの波形信号が入力されてＧｘ、Ｇｙ、Ｇｚの各傾斜磁場波形が制御される。
ＲＦコイル１３
被検体へのＲＦ信号照射が行なわれる。
【００１２】
被検体で発生したＮＭＲ信号はＲＦコイル１３により受信され
Ａ／Ｄ変換器４３
のサンプリングパルスに応じて検波出力のデジタルデータへの変換が行なわれる。そのデジタルデータはホストコンピュータ５１に取り込まれる
【００１３】ホストコンピュータ５１は、
取り込まれたデータを処理して画像を再構成する
ホストコンピュータ５１により、グラジェントエコー法などの撮像シーケンスに基づいたパルスシーケンス全体の制御がなされるとともに、ＭＴＣパルス３の周波数や波形、それを付加するか否かの制御がなされる。
　
（１−エ）「【００１４】ここでは、図２に示すように撮像シーケンスとしてグラジェントエコー法に基づくパルスシーケンスを行なうようにしており、この撮像シーケンスにＭＴＣパルス３を付加するようにしている。図２に示すように、この撮像シーケンスはα°のフリップ角度を持つ励起パルス１を、スライス選択用傾斜磁場（ここではＧｚを用いている）のパルスとともに加え、読み出し用の傾斜磁場（ここではＧｘを用いている）のパルスと、位相エンコード用の傾斜磁場（ここではＧｙを用いている）とを加えてエコー信号２を発生させるという、よく知られたグラジェントエコー法によるものとなっている。ＭＴＣパルス３はこの撮像シーケンスの励起パルス１の直前に加えられ、自由水の共鳴周波数から少しずれた（周波数オフセットを持った）周波数帯域を有するようにキャリア周波数が定められる（ＲＦ信号発生器３１からのＲＦ信号の周波数が定められる）。励起パルス１の周波数は自由水の共鳴周波数とされる。なお、この図２のシーケンスでは、撮像シーケンスの前後に位相をばらばらにするスポイラーパルス（Ｇｚ、Ｇｙ、Ｇｘの各パルス）を加えるようにしている。
【００１５】そして、ＭＴＣパルス３の波形が、ホストコンピュータ５１の制御の下に波形発生器２２により定められる。この波形で、変調器３２においてＲＦ信号発生器３１からのＲＦ信号をＡＭ変調することにより、ＭＴＣパルス３の信号強度を定める。ここでは、上記のように最初の期間ａではＭＴＣパルス３の信号強度をゼロにし（オフにし）、つぎの期間ｂでは信号強度を最大にし、最後の期間ｃではふたたびゼロにしている（図１参照）。すなわち、図２に示すパルスシーケンスを位相エンコード用傾斜磁場Ｇｙを変化させながらｎ回繰り返すが、通常、位相エンコード用傾斜磁場Ｇｙは負の最大量から徐々にゼロに近付け、ゼロになった後徐々に正の方向に大きくしていくので、最初の期間ａに属する繰り返し期間＃１、＃２、＃３、…ではＭＴＣパルス３をオフにし、位相エンコード量がゼロ付近になっているつぎの期間ｂに属する繰り返し期間…、＃ｋ、＃ｋ＋１、…ではＭＴＣパルス３をオンにし、位相エンコード量が正方向に大きい最後の期間ｃに属する繰り返し期間…、＃ｎではＭＴＣパルス３をオフにする。
【００１６】このｎ回の各繰り返し期間で得たエコー信号２より１ラインずつのデータが収集され、これら１ラインずつのデータが収集された順番に図３のように生データ空間に配置される。こうして
２次元的に並べられたデータを２次元フーリエ変換することにより、２次元の画像が再構成される。
　
（１−オ）「【００１８】なお、上記は一つの実施例について述べたものであり、種々に変更可能である。たとえば、ＭＴＣパルス３を付加して得たデータは生データ空間の中央部に配置されるもの、つまり位相エンコード量が小さいときのデータであればよいので、ＭＴＣパルス３を最初と最後の期間ａ、ｃでオフ、中間の期間ｂでオンというような順序には限定されない（位相エンコード量の変化の仕方で変わる）。また、ＭＴＣパルス３をオフにした期間（図１では期間ａ、ｃ）では、その分、各繰り返し期間を短くすることも可能である。そうすることによりｎ回の繰り返し期間からなる１つの画像を得るための全体の時間を短縮することができる。また、上記ではＭＴＣパルス３をオンか、オフかに制御しているが、変調波形を制御することによりその中間の値もとり得るようにし、ＭＴＣパルス３のエンベロープを、位相エンコード量（の絶対値）に対応させて徐々に変化させるようにしてもよい。これにより結合水の緩和の早いプロトンの飽和の程度を変化させることができ、それに応じて生データ空間上のデータの変化を制御することができるため、所望のコントラストの画像を得ることができる。さらに、２次元フーリエ変換による２次元画像の再構成のみでなく、
３次元フーリエ変換による３次元画像の再構成にも適用可能である。
　
　上記（１ーア）〜（１−オ）の記載と図１〜１７を参照すると、上記刊行物１には、 
「静磁場を発生するための主マグネット１１と、この静磁場に重畳するように傾斜磁場を印加する、Ｘ、Ｙ、Ｚの３軸方向に磁場強度がそれぞれ傾斜する傾斜磁場Ｇｘ、Ｇｙ、Ｇｚを発生するように３組のコイルから構成される傾斜磁場コイル１２と
ＲＦ信号照射が行なわれＮＭＲ信号が受信されるＲＦコイル１３と、
検波出力のデジタルデータへの変換が行なわれるＡ／Ｄ変換器４３と、
撮像シーケンスに基づいたパルスシーケンス全体の制御をするとともに、プリサチュレーションパルスの周波数や波形、それを付加するか否かの制御をし、取り込まれたデータを処理して３次元フーリエ変換による３次元画像の再構成をするホストコンピュータ５１と、
を備えたＭＲイメージング装置において、
フーリエ変換される生データ空間の中央部に配置されるデータが得られる位相エンコード量が小さいパルスシーケンスではプリサチュレーションパルスを照射し、生データ空間の周辺部に配置されるデータが得られる位相エンコード量が大きいパルスシーケンスではプリサチュレーションパルスの照射強度をゼロにする（つまり照射しない）ＭＲイメージング装置。」の発明（以下、「引用発明」という。）が記載されていると認める。 
　
第５　対比・判断 
１　本願発明４について
（１）　本願発明４と引用発明とを対比する。 
ア　その構造・機能からみて、引用発明の「傾斜磁場コイル１２」、「ＲＦコイル１３」、「プリサチュレーションパルス」、および「ＭＲイメージング装置」は、それぞれ、本願発明４の「傾斜磁場印加手段」、「ＲＦ送受信手段」、「プリパルス」、および「磁気共鳴診断装置」に相当することが明らかである。
　
イ　引用発明の「ホストコンピュータ５１」は「撮像シーケンスに基づいたパルスシーケンス全体の制御をするとともに、プリサチュレーションパルスの周波数や波形、それを付加するか否かの制御を」するのであるから、本願発明４の「所定のパルスシーケンスに従って前記傾斜磁場印加手段と前記ＲＦ送受信手段とを制御する」「制御手段」を備えていることは明らかである。
　
ウ　引用発明の「ホストコンピュータ５１」は「撮像シーケンスに基づいたパルスシーケンス全体の制御をするとともに、プリサチュレーションパルスの周波数や波形、それを付加するか否かの制御をし、取り込まれたデータを処理して３次元フーリエ変換による３次元画像の再構成をする」のであり、「フーリエ変換される生データ空間の中央部に配置されるデータが得られる位相エンコード量が小さいパルスシーケンスではプリサチュレーションパルスを照射」するから、本願発明４の「付加的効果を与えるプリパルスと、前記被検体の３次元領域から３ＤＦＴ法に従ってＭＲ信号を収集するイメージングシーケンスとを含」む「前記パルスシーケンス」を備えていることは明らかである。
　
エ　「フーリエ変換される生データ空間の中央部」が「３次元ｋ空間の原点付近を含む低周波領域」であり、「生データ空間の周辺部」が「低周波領域以外の高周波領域」であり、「プリサチュレーションパルスを照射」と「プリパルス印加」とは共に「プリパルスを加える」ことで共通するから、引用発明の「フーリエ変換される生データ空間の中央部に配置されるデータが得られる位相エンコード量が小さいパルスシーケンスではプリサチュレーションパルスを照射し、生データ空間の周辺部に配置されるデータが得られる位相エンコード量が大きいパルスシーケンスではプリサチュレーションパルスの照射強度をゼロにする（つまり照射しない）」と、本願発明４の「前記イメージングシーケンスは、前記３ＤＦＴ法の３次元ｋ空間の原点付近を含む低周波領域と前記低周波領域以外の高周波領域とで共通であり、
　前記３次元ｋ空間においてスライスエンコード方向に関して低周波領域のＭＲ信号を収集するときには前記プリパルス印加し、一方、前記高周波領域のＭＲ信号を収集するときには前記プリパルスを印加しないようになっている」
とは、「前記イメージングシーケンスは、前記３ＤＦＴ法の３次元ｋ空間の原点付近を含む低周波領域と前記低周波領域以外の高周波領域とで共通であり」「３次元ｋ空間において少なくとも一つのエンコード方向に関して低周波領域のＭＲ信号を収集するときには、前記プリパルスを加え、一方、前記高周波領域のＭＲ信号を収集するときには前記プリパルスを加えないようになっている」点で共通するといえる。
　
　そうすると、両者は、　 
（一致点）  
「静磁場に重ねて傾斜磁場を印加可能な傾斜磁場印加手段と、前記静磁場中の被検体にＲＦパルスを送信すると共に前記被検体からのＭＲ信号を受信可能なＲＦ送受信手段と、前記傾斜磁場印加手段と前記ＲＦ送受信手段とを制御する制御手段とを備えた磁気共鳴診断装置において、
　前記制御手段は所定のパルスシーケンスに従って前記傾斜磁場印加手段と前記ＲＦ送受信手段とを制御するようになっており、
　前記パルスシーケンスは、付加的効果を与えるプリパルスと、前記被検体の３次元領域から３ＤＦＴ法に従ってＭＲ信号を収集するイメージングシーケンスとを含み、
　前記イメージングシーケンスは、前記３ＤＦＴ法の３次元ｋ空間の原点付近を含む低周波領域と前記低周波領域以外の高周波領域とで共通であり、
　前記３次元ｋ空間において少なくとも一つのエンコード方向に関して低周波領域のＭＲ信号を収集するときには前記プリパルスを加え、一方、前記高周波領域のＭＲ信号を収集するときには前記プリパルスを加えないようになっていることを特徴とする磁気共鳴診断装置。」
である点で一致し、次の点で相違する。　 
　　 
（相違点１）
　パルスシーケンスのプリパルスを加えるタイミングについて、本願発明４では、「前記３次元ｋ空間においてスライスエンコード方向に関して低周波領域のＭＲ信号を収集するとき」であるのに対して、引用発明では、「フーリエ変換される生データ空間の中央部に配置されるデータが得られる位相エンコード量が小さいパルスシーケンス」であり、スライスエンコード方向に関しては不明である点。
　
（相違点２）
　パルスシーケンスのプリパルスの加えかたについて、本願発明４では、「印加」と「印可しない」であるのに対して、引用発明では、「照射」と「照射強度をゼロにする（つまり照射しない）」である点。
　
（相違点３）
　磁気共鳴診断装置について、本願発明４では、「前記ＭＲ信号に基づいて前記被検体の血流画像を再構成する再構成手段を備え」ているのに対して、引用発明では、そのような構成が特定されていない点。
　
（２）　相違点についての判断
（相違点１について）
　刊行物１の（１−ウ）には「【０００８】・・・位相エンコード量が小さいパルスシーケンスで得られるデータは、２次元フーリエ変換される生データ空間の中央部に配置されるので、再構成画像のコントラストへの寄与度が大きい。これに対して位相エンコード量が大きいパルスシーケンスで得られるデータは生データ空間の周辺部に配置されるので、再構成画像のコントラストへの寄与度は小さい。つまり、再構成画像のコントラストを支配する生データ空間の中央部に配置されるデータを取得するパルスシーケンスについてのみ、ＭＴＣパルスを付加することになる。そのため、撮像シーケンスの一部に限定してＭＴＣパルスを付加することによりＲＦ加熱による温度上昇を抑えながら、撮像シーケンスの全部についてＭＴＣパルスを付加した場合と同等のコントラストの画像を得ることができる。」と記載されており、フーリエ変換される生データ空間の再構成画像のコントラストへの寄与度が大きい中央部に配置されるデータが得られるタイミングにプリパルスを印加する思想が記載されており、さらに２次元フーリエ変換される生データ空間を３次元フーリエ変換される生データ空間に拡張すると、スライスエンコード方向が含まれるとともに、生データ空間の中央部は、スライスエンコード方向の低周波領域を含むのであるから、引用発明において、発熱をおさえるために、前記スライスエンコード方向の低周波領域のみにてプリパルスを印可する、すなわち、本願発明４のごとく構成することは、当業者が容易に想到するものといえる。
　
（相違点２について）
　本願発明４においては、パルスシーケンスにプリパルスを「印可」する場合と「印可しない」場合とを区別してはいるが、時間については何も限定していない。そうすると本願発明４は、プリパルスを印可しない場合に比べて、プリパルスを印可する場合にパルスシーケンスの時間が延びる場合も、プリパルスを印可してもパルスシーケンスの時間が変わらない場合も共に含んでいる。
  したがって、引用発明では「照射」及び「照射強度をゼロにする（つまり照射しない）」ことが、パルスシーケンスの時間に影響しないとしても、本願発明４のパルスシーケンスにプリパルスを「印可」及び「印可しない」ことは、「照射」及び「照射強度をゼロにする（つまり照射しない）」ことを含むといえるから、この点において両発明は実質的に相違しないといえる。
　
（相違点３について）
　ＭＲ信号に基づいて前記被検体の血流画像を再構成する再構成手段を備えたものは、例えば、本願出願前に頒布され、当審の拒絶の理由に引用された刊行物である特開平９−３８０６３号公報、特開平８−７１０５５号公報に記載されているようにＭＲＡとして周知技術であり、磁気共鳴診断装置として同一の技術分野であるから、動機付けも十分あり、阻害要因もないから、引用発明をこのように構成することは当業者が容易に想到するものといえる。
　
（効果について）
　そして、本願発明４の作用効果は、引用発明および周知技術からから当業者が予測し得る範囲内のものにすぎない。
　
　したがって、本願発明４は、引用発明および周知技術に基づいて当業者が容易に発明をすることができたものである。　
　
２　本願発明１について
（１）　本願発明１と引用発明とを対比する。 
　上記「第５　１（１）」のア〜イの記載は、本願発明１と引用発明との対比でも同様である。
　
ウ　引用発明の「ホストコンピュータ５１」は「撮像シーケンスに基づいたパルスシーケンス全体の制御をするとともに、プリサチュレーションパルスの周波数や波形、それを付加するか否かの制御をし、取り込まれたデータを処理して３次元フーリエ変換による３次元画像の再構成をする」のであり、「フーリエ変換される生データ空間の中央部に配置されるデータが得られる位相エンコード量が小さいパルスシーケンスではプリサチュレーションパルスを照射」するから、本願発明１の「付加的効果を与える少なくとも１種類のプリパルスと、前記被検体の３次元領域から３ＤＦＴ法に従ってＭＲ信号を収集するイメージングシーケンスとを含」む「前記パルスシーケンス」を備えていることは明らかである。
　
エ　「フーリエ変換される生データ空間の中央部」が「３次元ｋ空間において少なくともスライスエンコード方向に関して低周波領域」であり、「生データ空間の周辺部」が「低周波領域以外の高周波領域」であり、「プリサチュレーションパルスを照射」と「プリパルス印加」とは共に「プリパルスを加える」ことで共通するから、
引用発明の「フーリエ変換される生データ空間の中央部に配置されるデータが得られる位相エンコード量が小さいパルスシーケンスではプリサチュレーションパルスを照射し、生データ空間の周辺部に配置されるデータが得られる位相エンコード量が大きいパルスシーケンスではプリサチュレーションパルスの照射強度をゼロにする（つまり照射しない）」と、
本願発明１の「前記イメージングシーケンスは、前記３ＤＦＴ法の３次元ｋ空間の原点付近を含む一部の領域と前記一部の領域以外の領域とで共通であり、前記一部の領域は前記３次元ｋ空間において少なくともスライスエンコード方向に関して低周波領域であり、
　前記一部の領域以外の領域に対しては、前記少なくとも１種類のプリパルスが印加され、
　前記一部の領域に対しては、前記一部の領域以外の領域に比べて多くの種類のプリパルスが印加される」
とは、「前記イメージングシーケンスは、前記３ＤＦＴ法の３次元ｋ空間の原点付近を含む一部の領域と前記一部の領域以外の領域とで共通であり、前記一部の領域は前記３次元ｋ空間において少なくとも一つのエンコード方向に関して低周波領域であり、
　前記一部の領域に対してはプリパルスが加えられる」点で共通するといえる。
　
　そうすると、両者は、　 
（一致点）  
「静磁場に重ねて傾斜磁場を印加可能な傾斜磁場印加手段と、前記静磁場中の被検体にＲＦパルスを送信すると共に前記被検体からのＭＲ信号を受信可能なＲＦ送受信手段と、前記傾斜磁場印加手段と前記ＲＦ送受信手段とを制御する制御手段とを備えた磁気共鳴診断装置において、
　前記制御手段は所定のパルスシーケンスに従って前記傾斜磁場印加手段と前記ＲＦ送受信手段とを制御するようになっており、
　前記パルスシーケンスは、付加的効果を与えるプリパルスと、前記被検体の３次元領域から３ＤＦＴ法に従ってＭＲ信号を収集するイメージングシーケンスとを含み、
前記イメージングシーケンスは、前記３ＤＦＴ法の３次元ｋ空間の原点付近を含む一部の領域と前記一部の領域以外の領域とで共通であり、前記一部の領域は前記３次元ｋ空間において少なくとも一つのエンコード方向に関して低周波領域であり、
　前記一部の領域に対してはプリパルスが加えられる磁気共鳴診断装置。」
である点で一致し、次の点で相違する。　 
　　 
（相違点１）
　パルスシーケンスのプリパルスを加える３ＤＦＴ法の３次元ｋ空間での一部の領域と一部の領域以外の分け方とプリパルスの種類数について、本願発明１では、「一部の領域は前記３次元ｋ空間において少なくともスライスエンコード方向に関して低周波領域であり、
　前記一部の領域以外の領域に対しては、前記少なくとも１種類のプリパルスが印加され、
　前記一部の領域に対しては、前記一部の領域以外の領域に比べて多くの種類のプリパルスが印加される」のに対して、引用発明では、「フーリエ変換される生データ空間の中央部に配置されるデータが得られる位相エンコード量が小さい」領域とそれ以外であり、スライスエンコード方向に関しては不明であり、プリサチュレーションパルスを上記領域に照射し、上記領域以外には照射しないが種類数は特定していない点。
　
（相違点２）
　パルスシーケンスのプリパルスの加えかたについて、本願発明１では、「印加され」であるのに対して、引用発明では、「照射」と「照射強度をゼロにする（つまり照射しない）」である点。
　
（相違点３）
　上記「１（１）（相違点３）」の記載は、本願発明１と引用発明との対比でも同様である。
　
（２）　相違点についての判断
（相違点１について）
　刊行物１の（１−ウ）には「【０００８】・・・位相エンコード量が小さいパルスシーケンスで得られるデータは、２次元フーリエ変換される生データ空間の中央部に配置されるので、再構成画像のコントラストへの寄与度が大きい。これに対して位相エンコード量が大きいパルスシーケンスで得られるデータは生データ空間の周辺部に配置されるので、再構成画像のコントラストへの寄与度は小さい。つまり、再構成画像のコントラストを支配する生データ空間の中央部に配置されるデータを取得するパルスシーケンスについてのみ、ＭＴＣパルスを付加することになる。そのため、撮像シーケンスの一部に限定してＭＴＣパルスを付加することによりＲＦ加熱による温度上昇を抑えながら、撮像シーケンスの全部についてＭＴＣパルスを付加した場合と同等のコントラストの画像を得ることができる。」と記載されており、フーリエ変換される生データ空間の再構成画像のコントラストへの寄与度が大きい中央部に配置されるデータが得られるタイミングにプリパルスを印加する思想が記載されており、さらに２次元フーリエ変換される生データ空間を３次元フーリエ変換される生データ空間に拡張すると、スライスエンコード方向が含まれるとともに、生データ空間の中央部は、スライスエンコード方向の低周波領域となるから、引用発明において、少なくともスライスエンコード方向の低周波領域を一部の領域とし、発熱をおさえるために、該一部の領域にプリパルスを加えることに格別の困難性は認められない。
　さらに、目的に応じた複数種のプリパルスは、当審拒絶理由にて「（３−５）本願発明５について」で引用された文献である特開平８−７１０５５号公報に「【０００３】このような磁気共鳴イメージング装置では、脂肪抑制機能、動静脈分離機能、ＳＴＣ機能（Saturation Transfer Contrast）等の機能を用いて撮影を行なうことが多い。脂肪抑制機能は、スライス面の脂肪のプロトンに由来するＮＭＲスペクトルを抑制して脂肪画像を除去する。つまり、撮影対象となるスライス面に脂肪のプロトンが共鳴する周波数でプリパルスを印加して脂肪成分を飽和させることにより、脂肪の画像を除去することが可能となる。
【０００４】動静脈分離機能は、動脈と静脈との流れる方向が異なることを利用し、スライス面に隣接するいづれか一方の面側をプリパルスで飽和させることにより、この面側から流入する血液を抑制する。即ち、動脈と静脈とを分離することができる。
【０００５】ＳＴＣ機能は、スライス面内の高分子の成分を抑制し、これに伴って水成分の信号を低下させる。このとき、病変部では水成分の低下量が小さいので正常組織と病変部との間にコントラストを付けることができる。」と記載されているように周知技術であるから、引用発明に、さらにこれらのプリパルスを適宜採用して、発熱に注意してスライスエンコード方向の低周波領域とそれ以外の領域の両方に付加して用いることで、前記一部の領域以外の領域に対しては、少なくとも１種類のプリパルスが印加されること、すなわち、相違点１のごとく構成することは、当業者が容易に想到するものといえる。
　
（相違点２について）
　本願発明１においては、パルスシーケンスにプリパルスが「印可され」る場合をプリパルスの種類数で区別しているが時間については何も限定していない。そうすると本願発明は、プリパルスを印可しない場合に比べて、プリパルスを印可した場合にパルスシーケンスの時間が延びる場合も、プリパルスを印可してもパルスシーケンスの時間が変わらない場合も共に含んでいる。
  したがって、引用発明では「照射」及び「照射強度をゼロにする（つまり照射しない）」ことが、パルスシーケンスの時間に影響しないとしても、本願発明１のパルスシーケンスにプリパルスが「印可され」ることは、「照射」及び「照射強度をゼロにする（つまり照射しない）」ことを含むといえるから、この点において両発明は実質的に相違しないといえる。 
　
（相違点３について）
　上記「第５　１（２）（相違点３について）」の記載は、本願発明１と引用発明との対比でも同様である。
　
（効果について）
　そして、本願発明１の作用効果は、引用発明および周知技術からから当業者が予測し得る範囲内のものにすぎない。
　
　したがって、本願発明１は、引用発明および周知技術に基づいて当業者が容易に発明をすることができたものである。
　
第６　むすび 
　以上のとおり、本願発明１及び４は、引用発明および周知技術に基づいて当業者が容易に発明をすることができたものであるから、特許法第２９条第２項の規定により特許を受けることができない。　 
　したがって、その他の請求項について言及するまでもなく、本願出願は拒絶されるべきものである。　 
　よって、結論のとおり審決する。